(57)【要約】【課題】石けん用容器において、蓋体を容器本体の下部に配置した場合でも、水や溶け出した石けんなどが溜まるのをなくして、溶け出した石けんなどによる異臭の発生をなくすと共に、石けん用容器を常に清潔な状態で維持できるようにする。【解決手段】底板部１１とその周囲の側板部１２とからなる容器本体１を備えると共に、この容器本体１の上部に、天板部２１とその周囲の側板部２２とからなる蓋体２を冠着して、その内部に石けんを収納するようにした石けん用容器において、容器本体１の側板部１２の下端面１７を、蓋体２の天板部２１の周縁２３における表面形状に合致する形状にし、この蓋体２の天板部２１の周縁２３に、容器本体１の側板部１２の下端面１７を嵌合自在にすることで、蓋体２を容器本体１の下部に配置可能にした石けん用容器である。【選択図】図８
2010268931.tif 000002
【特許請求の範囲】
【請求項１】
底板部１１とその周囲の側板部１２とからなる容器本体１を備えると共に、この容器本体１の上部に、天板部２１とその周囲の側板部２２とからなる蓋体２を冠着して、その内部に石けんを収納するようにした石けん用容器において、
容器本体１の側板部１２の下端面１７を、蓋体２の天板部２１の周縁２３における表面形状に合致する形状にし、この蓋体２の天板部２１の周縁２３に、容器本体１の側板部１２の下端面１７を嵌合自在にすることで、蓋体２を容器本体１の下部に配置可能にしたことを特徴とする石けん用容器。
【請求項２】
前記蓋体２の天板部２１に、複数本のブリッスル３１を立設してなるブラシ部３２を設けると共に、蓋体２を容器本体１の下部に配置したとき、このブラシ部３２が、容器本体１の底板部１１の下側に収納されるようにしたことを特徴とする請求項１記載の石けん用容器。
【発明の詳細な説明】
【技術分野】
【０００１】
本発明は、容器本体を備えると共に、この容器本体の上部に蓋体を冠着して、その内部に石けんを収納するようにした石けん用容器に関する。
【背景技術】
【０００２】
従来、石けん用容器としては、底板部とその周囲の側板部とからなる容器本体を備えると共に、この容器本体の上部に、天板部とその周囲の側板部とからなる蓋体を冠着して、その内部に石けんを収納するようにしている。このような石けん用容器としては、たとえば、特開２００３−９３２６０に開示されている。
【０００３】
この特開２００３−９３２６０に開示された石けん用容器において、蓋体にあっては、容器本体の上部より取り外してから、容器本体の下部に配置できるようにしている。そして、この蓋体を容器本体の下部に配置する場合、蓋体の天板部が下側となるように蓋体を上下逆さまにして、この蓋体の側板部を容器本体の側板部の周囲に設けたフランジ部に当接させることにより、容器本体の下部に蓋体を配置するようにしている。
【先行技術文献】
【特許文献】
【０００４】
【特許文献１】特開２００３−９３２６０号公報
【発明の概要】
【発明が解決しようとする課題】
【０００５】
かかる従来の石けん用容器において、蓋体を容器本体の下部に配置する場合、蓋体を上下逆さまにして容器本体の下部に配置するようにしていたため、水や溶け出した石けんなどが蓋体の内側に溜まってしまい、このまま長期間にわたって放置してしまうと、内側に溜まった溶け出した石けんなどによって異臭を放つといった問題が生じるおそれがあった。また、溶け出した石けんが固化してしまうと、これを容易に除去することができず、蓋体が汚くなるといった問題も生じるおそれがあった。
【０００６】
本発明は、これらの問題に鑑み、石けん用容器において、蓋体を容器本体の下部に配置した場合でも、水や溶け出した石けんなどが溜まるのをなくして、溶け出した石けんなどによる異臭の発生をなくすと共に、石けん用容器を常に清潔な状態で維持できるようにすることを、その課題とするものである。
【課題を解決するための手段】
【０００７】
第一の発明は、底板部とその周囲の側板部とからなる容器本体を備えると共に、この容器本体の上部に、天板部とその周囲の側板部とからなる蓋体を冠着して、その内部に石けんを収納するようにした石けん用容器において、容器本体の側板部の下端面を、蓋体の天板部の周縁における表面形状に合致する形状にし、この蓋体の天板部の周縁に、容器本体の側板部の下端面を嵌合自在にすることで、蓋体を容器本体の下部に配置可能にした石けん用容器である。
【０００８】
第二の発明は、第一の発明にあって、前記蓋体の天板部に、複数本のブリッスルを立設してなるブラシ部を設けると共に、蓋体を容器本体の下部に配置したとき、このブラシ部が、容器本体の底板部の下側に収納されるようにした石けん用容器である。
【発明の効果】
【０００９】
第一の発明によれば、実際に石けんを使用する際、容器本体の上部より外した蓋体を上下逆さまにすることなく容器本体の下部に配置することにより、容器本体の下部に配置した蓋体の内部に水や溶け出した石けんなどが流れ込むのを防いで、ここに溜まるのをなくすことで、溶け出した石けんなどによる異臭の発生や石けん用容器が汚くなるといった問題を解消することができる。
【００１０】
しかも、容器本体の側板部の下端面を、蓋体の天板部の周縁における表面形状に合致する形状にし、この蓋体の天板部の周縁に、容器本体の側板部の下端面を嵌合自在にしたことにより、容器本体の下部に蓋体を配置しても、容器本体と蓋体とが強固に取り付くようになり、石けん使用時において、上部の容器本体が蓋体からずれたりあるいは外れたりすることをなくすことができ、これにより、容器本体やその中に置いた石けんを常に安定した状態で保持することができ、石けん用容器として実用性の良いものにすることができる。
【００１１】
また、第二の発明によれば、蓋体にブラシ部を設けたことにより、蓋体を、髪を梳かすためのブラシとしても使用することができ、極めて便利な商品にすることができる。
【図面の簡単な説明】
【００１２】
【図１】本発明による石けん用容器の正面図である。
【図２】本発明による石けん用容器の平面図である。
【図３】図２におけるＡ−Ａ断面図である。
【図４】図２におけるＢ−Ｂ断面図である。
【図５】本発明による石けん用容器を説明する斜視図である。
【図６】本発明による石けん用容器における容器本体の平面図である。
【図７】石けん用容器における蓋体の天板部の周縁及び容器本体の側板部の下端面を説明する断面図である。
【図８】石けん用容器における蓋体を容器本体の下部に配置した際の状態説明図である。
【図９】本発明による別の石けん用容器の正面図である。
【図１０】本発明による別の石けん用容器の平面図である。
【図１１】（ａ）蓋体に設けたブラシ部のブリッスルの先端形状を示す説明図である。（ｂ）蓋体に設けたブラシ部のブリッスルの先端形状を示す説明図である。（ｃ）蓋体に設けたブラシ部のブリッスルの先端形状を示す説明図である。
【発明を実施するための形態】
【００１３】
本発明による石けん用容器の第一の実施形態について説明する。石けん用容器としては、図１、図２、図３、図４、図５、図６に示すように、容器本体１を備えると共に、この容器本体１の上部に蓋体２を冠着して、その内部に石けんを収納する。この石けん用容器における容器本体１と蓋体２とについては、プラスチックなどの合成樹脂を材料として作られる。
【００１４】
容器本体１は、左右の長さが長く前後の長さが短い略長方形状の底板部１１とその周囲の側板部１２とからなり、底板部１１を側板部１２の上下略中間に固着することで、底板部１１の下方に空間を形成している。また、底板部１１は左右の中央が高く、左右の両端が低くなる湾曲面にすると共に、その上面には左右に向かう３本の突出片１３を設けて、この突出片１３の上に石けんを置くようにしている。なお、この突出片１３については、左右の両端より中央が低くなるようにくぼんだ曲線的なものにしているが、これを水平の直線的なものにしても良く、また、その数も３本に限定されるものではなく、２本あるいは４本以上の複数本としても良い。
【００１５】
さらに、容器本体１の側板部１２にあっては、左右の両側に上端から底板部１１まで切り欠いた水を外に流すための水切り用切り欠き部１４を設けると共に、前後の両側に上端から底板部１１近傍まで切り欠いた石けんを取り出すための取り出し用切り欠き部１５を設ける。また、側板部１２の上部における外側に蓋体２を冠着するための段部１６を設ける。
【００１６】
一方、蓋体２は、容器本体１の底板部１１と同様の左右の長さが長く前後の長さが短い略長方形状の天板部２１とその周囲の側板部２２とからなり、天板部２１は前後・左右の中央が一番高く、そこから周囲に向かって低くなる湾曲面にしている。そして、この蓋体２の側板部２２の下側が容器本体１の側板部１２の上側に設けた段部１６に嵌り込むようになっており、これにより、容器本体１の上部に蓋体２が冠着する。
【００１７】
そして、この石けん用容器において、図７に示すように、蓋体２の天板部２１の周縁２３にあっては、全周にわたって一段低くなる段部２４を設けると共に、この段部２４の外側の縁を丸い凸曲部２５とした表面形状にする。また、容器本体１の側板部１２の下端面１７にあっては、蓋体２の天板部２１の周縁２３における段部２４を設けると共に縁を凸曲部２５とした表面形状に合致する凹曲部１８とした形状にする。このように、容器本体１の側板部１２の下端面１７を、蓋体２の天板部２１の周縁２３における表面形状に合致する形状にすることにより、この蓋体２の天板部２１の周縁２３に、容器本体１の側板部１２の下端面１７を嵌合自在にすることができ、蓋体２を容器本体１の下部に蓋体２を上下逆さまにすることなく配置できるようにする。
【００１８】
このような構成の石けん用容器における使用状態について説明する。石けんを使用しないで石けん用容器の内部に収納する場合、容器本体１の底板部１１の上に石けんを置くと共に、容器本体１の上部に蓋体２を冠着することにより、その内部に石けんを収納する。これにより、この石けん用容器に水などがかかっても、容器本体１の上部に冠着した蓋体２によって、石けんに水などが一切かからないようにしており、石けんが溶け出すのを防止、要するに、石けんを保護する。また、蓋体２の天板部２１を湾曲面にしていることで、ここに水などがかかっても、周囲へと流れ出して、ここに溜まることがない。
【００１９】
一方、石けん用容器の内部に収納した石けんを使用する場合、図８に示すように、容器本体１の上部に冠着した蓋体２を取り外して、この取り外した蓋体２を上下逆さまにすることなく容器本体１の下部に配置する。このとき、容器本体１の側板部１２の下端面１７と蓋体２の天板部２１の周縁２３とが合致した状態で嵌り合うことにより、容器本体１と蓋体２とが強固に取り付くようになり、容器本体１の下部に蓋体２を配置しても、上部の容器本体１が蓋体２からずれたりあるいは外れたりすることがない。また、使用中に石けんに水などがかかっても、容器本体１の底板部１１を湾曲面にすると共に、容器本体１の側板部１２の左右の両側に水切り用切り欠き部１４を設けたことで、この水切り用切り欠き部１４から水などが流れ出し、ここに溜まることがない。さらに、容器本体１の底板部１１に突出片１３を設けて、この突出片１３の上に石けんを置くようにしたことで、石けんへの水の付着を極力なくし、石けんを乾燥した状態で維持でき、石けんが溶け出すのを防止する。また、容器本体１の側板部１２の前後の両側に取り出し用切り欠き部１５を設けたことで、ここから容易に石けんを掴むことができ、容器本体１から極めて簡単に石けんを取り出すことができる。
【００２０】
次に、本発明による石けん用容器の第二の実施形態について説明する。石けん用容器としては、前述した第一の実施形態の石けん用容器と基本的には同様であるが、蓋体２において、少し異なるものである。
【００２１】
これは、図９、図１０に示すように、蓋体２において、その天板部２１の上面に、複数本のブリッスル３１を立設してなるブラシ部３２を設けたものである。そして、このブラシ部３２は、蓋体２を容器本体１の下部に配置したとき、ブラシ部３２が容器本体１の底板部１１の下方に形成された空間内、すなわち底板部１１の下側に収納されるようになっている。
【００２２】
また、このブラシ部３２の複数本のブリッスル３１にあっては、蓋体２と同様、プラスチックなどの合成樹脂を材料として作られており、弾性変形自在である。また、ブリッスル３１自体は円柱状あるいは円錐状で、頭皮を傷つけないようにするため、その先端形状を丸く（通常タイプという）している。
【００２３】
ただし、このブリッスル３１の先端形状については、変形タイプとして、図１１（ａ）に示すＵ字溝３３を設けたタイプ、図１１（ｂ）に示す縦孔３４を設けたタイプ、図１１（ｃ）に示す平面部３５を形成してそこに小突起３６を多数配置したタイプ等が考えられ、これらの変形タイプのものを用いると、毛穴の皮脂や汚れを良好に除去することができる。なお、ブラシ部３２において、これらの変形タイプのものと丸くした通常タイプのものとを交互に配置することにより、頭皮を傷つけることなく、極めて良好に毛穴の皮脂や汚れを除去することができる。
【００２４】
このような構成の石けん用容器における使用状態を説明すると、石けんを使用しないで石けん用容器の内部に収納する場合や石けん用容器の内部に収納した石けんを使用する場合は、前述した第一の実施形態の石けん用容器と同様となるが、これ以外に、蓋体２を容器本体１より取り外した場合、蓋体２に設けたブラシ部３２で髪を梳かすことができ、要するに、蓋体２をブラシとして使用することができる。これにより、たとえば旅先などにおいて、ブラシがなくても、当該石けん用容器を持って行けば、髪を梳かすことができ、極めて便利な商品にすることができる。
【符号の説明】
【００２５】
１…容器本体、２…蓋体、１１…底板部、１２…側板部、１３…突出片、１４…水切り用切り欠き部、１５…取り出し用切り欠き部、１６…段部、１７…下端面、１８…凹曲部、２１…天板部、２２…側板部、２３…周縁、２４…段部、２５…凸曲部、３１…ブリッスル、３２…ブラシ部、３３…Ｕ字溝、３４…縦孔、３５…平面部、３６…小突起
【図１】
2010268931.tif 000003
【図２】
2010268931.tif 000004
【図３】
2010268931.tif 000005
【図４】
2010268931.tif 000006
【図５】
2010268931.tif 000007
【図６】
2010268931.tif 000008
【図７】
2010268931.tif 000009
【図８】
2010268931.tif 000010
【図９】
2010268931.tif 000011
【図１０】
2010268931.tif 000012
【図１１】
2010268931.tif 000013